(57)【要約】【課題】ＩＰカメラ装置による被写体撮影等の動作を外出・在宅の状況に応じて自動的に設定することができる監視システムを提供することを目的とする。【解決手段】被写体を撮像するカメラ部９と全体を制御する制御装置８とを有するＩＰカメラ装置１０と、対象ドアに取り付けられ外出か在宅かを示すコマンド信号を無線送信する在宅監視装置６とを有する監視システムであって、制御装置８は、コマンド信号を受信するコマンド受信部１０４と、受信したコマンド信号を解析するコマンド解析部１０５と、コマンド解析部１０５における解析結果に基いてカメラ部９を制御する主制御部１０６とを有する。【選択図】図２
2005316673.tif 000002
【特許請求の範囲】
【請求項１】
被写体を撮像するカメラ部と全体を制御する制御装置とを有するＩＰカメラ装置と、対象ドアに取り付けられ外出か在宅かを示すコマンド信号を無線送信する在宅監視装置とを有する監視システムであって、
前記制御装置は、前記コマンド信号を受信するコマンド受信部と、受信した前記コマンド信号を解析するコマンド解析部と、前記コマンド解析部における解析結果に基いて前記カメラ部を制御する主制御部とを有することを特徴とする監視システム。
【請求項２】
前記主制御部は、設定情報を記憶する記憶部を備え、前記解析結果に基いて前記受信したコマンド信号が外出または在宅を示すと判定した場合、前記記憶部に記憶された設定情報にもとづいて前記カメラ部を外出または在宅に応じて制御をすることを特徴とする請求項１に記載の監視システム。
【請求項３】
前記在宅監視装置は、前記対象ドアがロックされているか否かを検知するロック検知部と、前記対象ドアにおいて外側からの鍵によりドアがロックされているのか内側からの鍵によりドアがロックされているのかを検知する接触センサと、前記接触センサにおける検知結果に基いて在宅か外出かを判定して前記コマンド信号を無線送信する在宅監視部とを有することを特徴とする請求項１または２に記載の監視システム。
【請求項４】
前記主制御部は、外出である場合に被写体を撮影するか否か、携帯電話機に画像を転送するか否か、又は前記画像データを蓄積するか否かを示す設定情報をあらかじめ設定することができることを特徴とする請求項１乃至３のいずれか１に記載の監視システム。
【請求項５】
前記在宅監視装置は、前記接触センサに代えて、ドアチェーンがセットされているか否かを検知するドアチェーン検知センサを備えたことを特徴とする請求項３または４に記載の監視システム。
【請求項６】
前記在宅監視装置は、外出か在宅かを示す前記コマンド信号をメール送信することを特徴とする請求項１乃至５のいずれか１に記載の監視システム。
【請求項７】
被写体を撮像するカメラ部と、外出か在宅かを示すコマンド信号を受信すると共に全体を制御する制御装置とを有するＩＰカメラ装置であって、
前記制御装置は、前記コマンド信号を受信するコマンド受信部と、受信した前記コマンド信号を解析するコマンド解析部と、前記コマンド解析部における解析結果に基いて前記カメラ部を制御する主制御部とを有することを特徴とするＩＰカメラ装置。
【請求項８】
前記カメラ部は、前記主制御部において前記解析結果が外出であることを示すと判定した場合に、被写体を撮影して得られた画像データを記憶し又は前記画像データを携帯電話機へ送信することを特徴とする請求項７に記載のＩＰカメラ装置。
【発明の詳細な説明】
【技術分野】
【０００１】
本発明は、通信により制御可能なＩＰカメラ装置、および、そのＩＰカメラ装置を有する監視システムに関するものである。
【背景技術】
【０００２】
従来、自宅の留守監視にＩＰカメラ装置を使用する場合には、出かける時にＩＰカメラ装置による被写体撮影をスイッチや設定画面で指定し、帰宅時にＩＰカメラ装置による被写体撮影を取り消す必要があり、また外部からアクセスして被写体の撮影を指定する必要がある。
【０００３】
特許文献１には、住人が外出先から家の内外部の詳細な情報を得ることができると共に、外出中の住人が訪問者の識別や用件の確認をすることができるようにしたホームセキュリティシステムが開示されている。
【０００４】
また特許文献２には、テレビ電話装置において、テレビカメラを監視用テレビカメラに切り換えると共に、端末局内の監視を行う監視モードとに切り換えることにより、テレビ電話装置をＨＡシステムにも活用できるようにするものが開示されている。
【特許文献１】特開２００１−７６２７３号公報
【特許文献２】特開平３−１４３１５３号公報
【発明の開示】
【発明が解決しようとする課題】
【０００５】
上述したように、上記従来の他のカメラ装置では、出かけるときにスイッチをＯＮにしたり、設定画面で指定して留守中の家を監視する必要があり、また、ＩＰカメラ装置の画像を携帯電話機に転送する設定や画像蓄積する設定も、出かけるたびに行う必要があった。また、帰宅後は、ＩＰカメラ装置で写したり、携帯電話機に画像を伝送したくないので、映像撮影のスイッチを切ったり、設定をＯＦＦにする必要があった。しかしながら、出かける際に忙しかったりして、設定しわすれた場合、監視システムのＩＰカメラ装置として動作しないという問題点を有していた。また、帰宅後にＩＰカメラ装置の設定を忘れた場合には、必要もないのに携帯電話機に画像が送られたりして、外部からアクセスされてしまうという問題点を有していた。
【０００６】
この監視システムおよびＩＰカメラ装置では、ＩＰカメラ装置による被写体撮影等の動作を外出・在宅の状況に応じて自動的に設定することが要求されている。
【０００７】
本発明は、この要求を満たすため、ＩＰカメラ装置による被写体撮影等の動作を外出・在宅の状況に応じて自動的に設定することができる監視システム、および、被写体撮影等の動作を外出・在宅の状況に応じて自動的に設定することができるＩＰカメラ装置を提供することを目的とする。
【課題を解決するための手段】
【０００８】
上記課題を解決するために本発明の監視システムは、被写体を撮像するカメラ部と全体を制御する制御装置とを有するＩＰカメラ装置と、対象ドアに取り付けられ外出か在宅かを示すコマンド信号を無線送信する在宅監視装置とを有する監視システムであって、制御装置は、コマンド信号を受信するコマンド受信部と、受信したコマンド信号を解析するコマンド解析部と、コマンド解析部における解析結果に基いてカメラ部を制御する主制御部とを有する構成を備えている。
【０００９】
これにより、ＩＰカメラ装置による被写体撮影等の動作を外出・在宅の状況に応じて自動的に設定することができる監視システムが得られる。
【００１０】
上記課題を解決するために本発明のＩＰカメラ装置は、被写体を撮像するカメラ部と、外出か在宅かを示すコマンド信号を受信すると共に全体を制御する制御装置とを有するＩＰカメラ装置であって、制御装置は、コマンド信号を受信するコマンド受信部と、受信したコマンド信号を解析するコマンド解析部と、コマンド解析部における解析結果に基いてカメラ部を制御する主制御部とを有する構成を備えている。
【００１１】
これにより、被写体撮影等の動作を外出・在宅の状況に応じて自動的に設定することができるＩＰカメラ装置が得られる。
【発明の効果】
【００１２】
本発明の監視システムは、被写体を撮像するカメラ部と全体を制御する制御装置とを有するＩＰカメラ装置と、対象ドアに取り付けられ外出か在宅かを示すコマンド信号を無線送信する在宅監視装置とを有する監視システムであって、制御装置は、コマンド信号を受信するコマンド受信部と、受信したコマンド信号を解析するコマンド解析部と、コマンド解析部における解析結果に基いてカメラ部を制御する主制御部とを有することにより、ＩＰカメラ装置が在宅監視装置から外出であることを示すコマンド信号を受信した場合には、主制御部は、外出状態であることを認識してカメラ部を制御することができると共に、在宅であることを示すコマンド信号を受信した場合には、主制御部は、在宅状態であることを認識してカメラ部を制御することができるので、ＩＰカメラ装置の被写体撮影や画像記憶、画像送信等の動作を外出・在宅の状況に応じて自動的に設定することができるという有利な効果が得られる。
【００１３】
さらに、主制御部は、設定情報を記憶する記憶部を備え、解析結果に基いて受信したコマンド信号が外出または在宅を示すと判定した場合、記憶部に記憶された設定情報にもとづいてカメラ部を外出または在宅に応じて制御することにより、ＩＰカメラ装置の被写体撮影や画像記憶、画像送信等の動作を設定情報に基き且つ外出・在宅の状況に応じて自動的に設定することができるという有利な効果が得られる。
【００１４】
さらに、在宅監視装置は、対象ドアがロックされているか否かを検知するロック検知部と、対象ドアにおいて外側からの鍵によりドアがロックされているのか内側からの鍵によりドアがロックされているのかを検知する接触センサと、接触センサにおける検知結果に基いて在宅か外出かを判定してコマンド信号を無線送信する在宅監視部とを有することにより、在宅監視部は外側からの鍵によりドアがロックされている場合には外出であり、内側からの鍵によりドアがロックされている場合には在宅であると判定することができるので、コマンド信号により外出・在宅を確実にＩＰカメラ装置へ通知することができるという有利な効果が得られる。
【００１５】
さらに、主制御部は、外出である場合に被写体を撮影するか否か、携帯電話機に画像を転送するか否か、又は画像データを蓄積するか否かを示す設定情報をあらかじめ設定することができることにより、ＩＰカメラ装置の被写体撮影や画像記憶、画像送信等の動作を設定情報に基き且つ外出・在宅の状況に応じて確実に自動的に設定することができ、例えば外出時に自宅内の被写体を撮影する動作や携帯電話機への画像送信などをユーザの手を煩わすことなく自動的に行うことができるという有利な効果が得られる。
【００１６】
さらに、在宅監視装置は、接触センサに代えて、ドアチェーンがセットされているか否かを検知するドアチェーン検知センサを備えたことにより、対象ドアの状態に応じ、ドア
チェーンを利用した方が好適である場合には、ドアチェーンを利用して接触センサの場合と同様の動作を行うことができるという有利な効果が得られる。
【００１７】
さらに、在宅監視装置は、外出か在宅かを示すコマンド信号をメール送信することにより、外出・在宅を携帯電話機やパソコンなどへ通知することができるという有利な効果が得られる。
【００１８】
本発明のＩＰカメラ装置は、被写体を撮像するカメラ部と、外出か在宅かを示すコマンド信号を受信すると共に全体を制御する制御装置とを有するＩＰカメラ装置であって、制御装置は、コマンド信号を受信するコマンド受信部と、受信したコマンド信号を解析するコマンド解析部と、コマンド解析部における解析結果に基いてカメラ部を制御する主制御部とを有することにより、自宅に配置された何らかの装置から外出であることを示すコマンド信号をＩＰカメラ装置が受信することができれば、主制御部は、外出状態であることを認識してカメラ部を制御することができると共に、在宅であることを示すコマンド信号を受信した場合には、主制御部は、在宅状態であることを認識してカメラ部を制御することができるので、被写体撮影や画像記憶、画像送信等の動作を外出・在宅の状況に応じて自動的に設定することができるという有利な効果が得られる。
【００１９】
さらに、カメラ部は、主制御部において解析結果が外出であることを示すと判定した場合に、被写体を撮影して得られた画像データを記憶し又は画像データを携帯電話機へ送信することにより、カメラ部は、外出という状態に応じた適正な動作を行うことができるという有利な効果が得られる。
【発明を実施するための最良の形態】
【００２０】
本発明は、ＩＰカメラ装置による被写体撮影等の動作を外出・在宅の状況に応じて自動的に設定するという目的を、ドアのロック状態等を検知して検知結果をＩＰカメラ装置に無線送信することにより実現した。
【００２１】
上記課題を解決するためになされた第１の発明は、被写体を撮像するカメラ部と全体を制御する制御装置とを有するＩＰカメラ装置と、対象ドアに取り付けられ外出か在宅かを示すコマンド信号を無線送信する在宅監視装置とを有する監視システムであって、制御装置は、コマンド信号を受信するコマンド受信部と、受信したコマンド信号を解析するコマンド解析部と、コマンド解析部における解析結果に基いてカメラ部を制御する主制御部とを有することとしたものであり、ＩＰカメラ装置が在宅監視装置から外出であることを示すコマンド信号を受信した場合には、主制御部は、外出状態であることを認識してカメラ部を制御することができると共に、在宅であることを示すコマンド信号を受信した場合には、主制御部は、在宅状態であることを認識してカメラ部を制御することができるので、ＩＰカメラ装置の被写体撮影や画像記憶、画像送信等の動作を外出・在宅の状況に応じて自動的に設定することができるという作用・効果を有する。
【００２２】
上記課題を解決するためになされた第２の発明は、主制御部は、設定情報を記憶する記憶部を備え、解析結果に基いて受信したコマンド信号が外出または在宅を示すと判定した場合、記憶部に記憶された設定情報にもとづいてカメラ部を外出または在宅に応じて制御することとしたものであり、ＩＰカメラ装置の被写体撮影や画像記憶、画像送信等の動作を設定情報に基き且つ外出・在宅の状況に応じて自動的に設定することができるという作用・効果を有する。
【００２３】
上記課題を解決するためになされた第３の発明は、在宅監視装置は、対象ドアがロックされているか否かを検知するロック検知部と、対象ドアにおいて外側からの鍵によりドアがロックされているのか内側からの鍵によりドアがロックされているのかを検知する接触
センサと、接触センサにおける検知結果に基いて在宅か外出かを判定してコマンド信号を無線送信する在宅監視部とを有することとしたものであり、在宅監視部は外側からの鍵によりドアがロックされている場合には外出であり、内側からの鍵によりドアがロックされている場合には在宅であると判定することができるので、コマンド信号により外出・在宅を確実にＩＰカメラ装置へ通知することができるという作用・効果を有する。
【００２４】
上記課題を解決するためになされた第４の発明は、主制御部は、外出である場合に被写体を撮影するか否か、携帯電話機に画像を転送するか否か、又は画像データを蓄積するか否かを示す設定情報をあらかじめ設定することができることとしたものであり、ＩＰカメラ装置の被写体撮影や画像記憶、画像送信等の動作を設定情報に基き且つ外出・在宅の状況に応じて確実に自動的に設定することができ、例えば外出時に自宅内の被写体を撮影する動作や携帯電話機への画像送信などをユーザの手を煩わすことなく自動的に行うことができるという作用・効果を有する。
【００２５】
上記課題を解決するためになされた第５の発明は、在宅監視装置は、接触センサに代えて、ドアチェーンがセットされているか否かを検知するドアチェーン検知センサを備えることとしたものであり、対象ドアの状態に応じ、ドアチェーンを利用した方が好適である場合には、ドアチェーンを利用して接触センサの場合と同様の動作を行うことができるという作用・効果を有する。
【００２６】
上記課題を解決するためになされた第６の発明は、在宅監視装置は、外出か在宅かを示すコマンド信号をメール送信することとしたものであり、外出・在宅を携帯電話機やパソコンなどへ通知することができるという作用・効果を有する。
【００２７】
上記課題を解決するためになされた第７の発明は、被写体を撮像するカメラ部と、外出か在宅かを示すコマンド信号を受信すると共に全体を制御する制御装置とを有するＩＰカメラ装置であって、制御装置は、コマンド信号を受信するコマンド受信部と、受信したコマンド信号を解析するコマンド解析部と、コマンド解析部における解析結果に基いてカメラ部を制御する主制御部とを有することとしたものであり、自宅に配置された何らかの装置から外出であることを示すコマンド信号をＩＰカメラ装置が受信することができれば、主制御部は、外出状態であることを認識してカメラ部を制御することができると共に、在宅であることを示すコマンド信号を受信した場合には、主制御部は、在宅状態であることを認識してカメラ部を制御することができるので、被写体撮影や画像記憶、画像送信等の動作を外出・在宅の状況に応じて自動的に設定することができるという作用・効果を有する。
【００２８】
上記課題を解決するためになされた第８の発明は、カメラ部は、主制御部において解析結果が外出であることを示すと判定した場合に、被写体を撮影して得られた画像データを記憶し又は画像データを携帯電話機へ送信することとしたものであり、カメラ部は、外出という状態に応じた適正な動作を行うことができるという作用・効果を有する。
【００２９】
（実施の形態１）
図１は、本発明の実施の形態１による監視システムを示す構成図である。
【００３０】
図１において、１は在宅や外出を検知する対象としてのドア（対象ドア）がロックされているか否かを検知する後述のロック検知部１００（図２（ａ））を有するドアロック機構部、３は外側からの鍵によりドアがロックされているか内側からの鍵によりドアがロックされているかを検知する後述の接触センサ１０１を有する接触センサ付サムターン（つまみ）、４は外出か在宅かの判定を行う在宅監視部、５は外出か在宅かを示すコマンド信号を送信するためのアンテナ部、６は各部１〜５を有する在宅監視装置である。また、７
は在宅監視装置６からのコマンド信号を受信するアンテナ部、８は全体を制御する制御装置、９は後述のＩＰカメラ１０８の移動（パン、チルト等）や画像の記憶などを行うカメラ部、１０は各部７〜９を有するＩＰカメラ装置である。ここで、接触センサ１０１は、内側からの鍵によりドアがロックされている場合にはオン信号（ＯＮ信号）を出力し、外側からの鍵によりドアがロックされている場合にはオフ信号（ＯＦＦ信号）を出力する。
【００３１】
図２（ａ）は、図１の在宅監視装置６を示すブロック図である。
【００３２】
図２（ａ）において、４は図１と同様の在宅監視部、５は図１と同様のアンテナ部であり、１００はドアロック機構部１を構成すると共に対象ドアがロックされているか否かを検知するロック検知部、１０１は接触センサ付サムターン３を構成する接触センサ、１０２は在宅監視装置６全体を制御する主制御部、１０３は外出か在宅かを示すコマンド信号をアンテナ部５を介して送信するコマンド送信部である。コマンド送信部１０３は、外出か在宅かの判定結果は赤外線やネットワーク通信によりコマンド信号１１として送信する。
【００３３】
図２（ｂ）は、図１のＩＰカメラ装置１０を示すブロック図である。
【００３４】
図２（ｂ）において、８は図１と同様の制御装置、９は図１と同様のカメラ部、１０は図１と同様のＩＰカメラ装置、１０４は在宅監視装置６からの各種のコマンドを受信するコマンド受信部であり、コマンド受信部１０４は、受信したコマンド信号をＩＰカメラ装置１０内の形式のコマンド信号に変更し、変更コマンド信号を後述のコマンド解析部１０５に送る。１０５はコマンド受信部１０４からの各種コマンドを受けて、それが如何なるコマンドであるかを解析するコマンド解析部であり、コマンド解析部１０５は、解析した結果を主制御部１０６に送る。主制御部１０６は、ＩＰカメラ装置１０の全体制御を行う。主制御部１０６には記憶部１０７が接続され、記憶部１０７には、在宅監視装置６からのコマンド信号によって、被写体撮影を行うかどうかや、画像を携帯電話機に転送するかどうか、画像を蓄積保存するかどうかの設定状態を記憶する。１０８はＩＰカメラであり、ＩＰカメラ１０８に連結された画像記憶部１０９は、ＩＰカメラ１０８にて撮られた映像を一時記憶し、この記憶された画像は、画像送信部１１０により送信される（例えば携帯電話機に送信される）。１１１はＩＰカメラ装置１０の各部に電源を供給する電源部である。
【００３５】
このように構成された監視システムについて図３、図４を用いて説明する。図３は在宅監視部４の主制御部１０２の動作を示すフローチャートであり、図４はＩＰカメラ装置１０の主制御部１０６の動作を示すフローチャートである。
【００３６】
図３において、まず、ユーザが外出する際に外側から鍵でドアをしめた場合、ロック検知部１００はロックされていることを検知し（Ｓ１）、接触センサ１０１はオンかオフかを判定する（Ｓ２）。ステップＳ２で接触センサ１０１はオフであると判定した場合、家の内部に人がおらず外出モードであると判定し（Ｓ３）、コマンド送信部１０３から赤外線やネットワーク通信を使用して、ＩＰカメラ装置１０に対して、外出であることを示すコマンド信号（外出コマンド信号）をＩＰカメラ装置１０に送信する（Ｓ４）。外出コマンド信号が送信されると、コマンド受信部１０４は外出コマンド信号を受信する（図４のＳ１１）。コマンド解析部１０５は、コマンド受信部１０４を介して入力した外出コマンド信号をＩＰカメラ装置１０内の方式のコマンド信号に変換し、変換したコマンド信号は主制御部１０６にて外出を示すコマンド信号であると判定される。
【００３７】
次に、主制御部１０６は、外出コマンド信号により、被写体撮影を行うかどうか、動いたものを認識して画像を蓄積するかどうか、画像を携帯電話機に送信するかどうかなどを
示す設定情報（あらかじめ外部から設定され記憶部１０７に記憶された設定情報）を読み出し（図４のＳ１２）、その読み出された設定情報に従ってカメラ部９の制御を行う（図４のＳ１３）。
【００３８】
次に、ユーザが外出から帰って、内側からドアの鍵を閉めた場合は、ロック検知部１００でロックが検知され、接触センサ１０１でオン信号が出力されるので、家の内部に人がいる（在宅モードである）と在宅監視部４の主制御部１０２で判定し（図３のＳ５）、コマンド送信部１０３からＩＰカメラ装置１０に対して、在宅を示すコマンド信号（在宅コマンド信号）を送信する（Ｓ６）。在宅コマンド信号をＩＰカメラ装置１０が受け取ると、外出コマンド信号の制御の取り消しを行う。
【００３９】
図５は、在宅監視装置の変形例を示す構成図である。
【００４０】
図５において、５０１は在宅や外出を検知する対象としてのドア（対象ドア）がロックされているか否かを検知するロック検知部を有するドアロック機構部、５０３はドアチェーンがセットされているか否かを検知するドアチェーン検知センサ（図示せず）を有するドアチェーン機構部、５０４は外出か在宅かの判定を行う在宅監視部、５０５は外出か在宅かを示すコマンド信号を送信するためのアンテナ部、５０６は各部５０１〜５０５を有する在宅監視装置である。
【００４１】
図１では、ロック検知部１００と接触センサ１０１により玄関のドアの鍵が外部から掛けられたか、内側から掛けられたかで在宅監視装置６が外出を在宅かを判定していたが、図５に示すように、在宅中はドアチェーンを掛けているので、ドアチェーンを使って、鍵とドアチェーンがかけられている場合は在宅中であり、鍵だけが掛けられた場合は外出中と判定して、ＩＰカメラ装置１０に在宅コマンド信号もしくは外出コマンド信号を送信することができる。すなわち、図２（ａ）の接触センサ１０１に代えて、ドアチェーンがセットされているか否かを検知するドアチェーン検知センサを備えればよい。
【００４２】
在宅監視装置６の更に別の変形例として、外から鍵が掛けられたことを検知すると（つまり外出であることを検知すると）、コマンド送信部１０３がメールを送信するようにしてもよい。送信先は、自らの携帯電話機などである。これにより、鍵の閉め忘れをチェックすることができる。
【００４３】
以上のように本実施の形態によれば、制御装置８は、コマンド信号を受信するコマンド受信部１０４と、受信したコマンド信号を解析するコマンド解析部１０５と、コマンド解析部１０５における解析結果に基いてカメラ部９を制御する主制御部１０６とを有することにより、ＩＰカメラ装置１０が在宅監視装置６から外出であることを示すコマンド信号を受信した場合には、主制御部１０６は、外出状態であることを認識してカメラ部９を制御することができると共に、在宅であることを示すコマンド信号を受信した場合には、主制御部１０６は、在宅状態であることを認識してカメラ部９を制御することができるので、ＩＰカメラ装置１０の被写体撮影や画像記憶、画像送信等の動作を外出・在宅の状況に応じて自動的に設定することができる。
【００４４】
さらに、主制御部１０６は、設定情報を記憶する記憶部１０７を備え、解析結果に基いて受信したコマンド信号が外出または在宅を示すと判定した場合、記憶部１０７に記憶された設定情報にもとづいてカメラ部９を外出または在宅に応じて制御することにより、ＩＰカメラ装置１０の被写体撮影や画像記憶、画像送信等の動作を設定情報に基き且つ外出・在宅の状況に応じて自動的に設定することができる。
【００４５】
さらに、在宅監視装置６は、対象ドアがロックされているか否かを検知するロック検知
部１００と、対象ドアにおいて外側からの鍵によりドアがロックされているのか内側からの鍵によりドアがロックされているのかを検知する接触センサ１０１と、接触センサ１０１における検知結果に基いて在宅か外出かを判定してコマンド信号を無線送信する在宅監視部４とを有することにより、在宅監視部４は外側からの鍵によりドアがロックされている場合には外出であり、内側からの鍵によりドアがロックされている場合には在宅であると判定することができるので、コマンド信号により外出・在宅を確実にＩＰカメラ装置１０へ通知することができる。
【００４６】
さらに、主制御部１０６は、外出である場合に被写体を撮影するか否か、携帯電話機に画像を転送するか否か、又は画像データを蓄積するか否かを示す設定情報をあらかじめ設定することができることにより、ＩＰカメラ装置の被写体撮影や画像記憶、画像送信等の動作を設定情報に基き且つ外出・在宅の状況に応じて確実に自動的に設定することができ、例えば外出時に自宅内の被写体を撮影する動作や被写体の画像の携帯電話機への送信などをユーザの手を煩わすことなく自動的に行うことができる。
【００４７】
さらに、在宅監視装置６は、接触センサ１０１に代えて、ドアチェーンがセットされているか否かを検知するドアチェーン検知センサを備えたことにより、対象ドアの状態に応じ、ドアチェーンを利用した方が好適である場合には、ドアチェーンを利用して接触センサの場合と同様の動作を行うことができる。
【００４８】
さらに、在宅監視装置６は、外出か在宅かを示すコマンド信号をメール送信することにより、外出・在宅を携帯電話機やパソコンなどへ通知することができる。
【産業上の利用可能性】
【００４９】
本発明は、通信により制御可能なＩＰカメラ装置、および、そのＩＰカメラ装置を有する監視システムに関し、ＩＰカメラ装置による被写体撮影等の動作を外出・在宅の状況に応じて自動的に設定することができる。
【図面の簡単な説明】
【００５０】
【図１】本発明の実施の形態１による監視システムを示す構成図
【図２】（ａ）図１の在宅監視装置を示すブロック図、（ｂ）図１のＩＰカメラ装置を示すブロック図
【図３】在宅監視部の主制御部の動作を示すフローチャート
【図４】ＩＰカメラ装置の主制御部の動作を示すフローチャート
【図５】在宅監視装置の変形例を示す構成図
【符号の説明】
【００５１】
１、５０１    ドアロック機構部
３    接触センサ付サムターン（つまみ）
４、５０４    在宅監視部
５、７、５０５    アンテナ部
６、５０６    在宅監視装置
８    制御装置
９    カメラ部
１０    ＩＰカメラ装置
１００    ロック検知部
１０１    接触センサ
１０２、１０６    主制御部
１０３    コマンド送信部
１０４    コマンド受信部
１０５    コマンド解析部
１０７    記憶部
１０８    ＩＰカメラ
１０９    画像記憶部
１１０    画像送信部
５０３    ドアチェーン機構部
【図１】
2005316673.tif 000003
【図２】
2005316673.tif 000004
【図３】
2005316673.tif 000005
【図４】
2005316673.tif 000006
【図５】
2005316673.tif 000007